(57)【要約】【課題】各種板厚の扉端部に確実かつ容易に位置決めしつつ精度良く取り付けできて、扉の意匠的価値を向上させると共に取付作業性等を向上させ得る扉の取手構造を提供する。【解決手段】指掛部及び連結部を有する取手本体と、該取手本体とは別体で形成され扉端面が当接する扉当接面の幅方向後端部に所定長さの固定部が立設された取付部材とを備え、前記取付部材の扉当接面の幅寸法を扉の板厚に対応させると共に、該取付部材を取手本体の連結部に連結手段で連結しその固定部を扉裏面に当接させて固定することにより、取手本体を取付部材を介して扉に取り付けることを特徴とする。取付部材の扉当接面の幅方向前端部もしくは取手本体の連結部の前端部には、取付時にその内面が扉表面に当接する前壁が一体形成される。【選択図】  図２
2004232284.tif 000002
【特許請求の範囲】
【請求項１】
指掛部及び連結部を有する取手本体と、該取手本体とは別体で形成され扉端面が当接する扉当接面の幅方向後端部に所定長さの固定部が立設された取付部材とを備え、
前記取付部材の扉当接面の幅寸法を扉の板厚に対応させると共に、該取付部材を前記取手本体の連結部に連結手段で連結しその固定部を扉裏面に当接させて固定することにより、取手本体を取付部材を介して扉に取り付けることを特徴とする扉の取手構造。
【請求項２】
前記取手本体と取付部材の一方は、取手本体を取付部材を介して扉に取り付けた際にその内面が扉表面に当接し得る前壁を有することを特徴とする請求項１に記載の扉の取手構造。
【請求項３】
前記前壁は、取付部材の扉当接面の幅方向前端部もしくは前記取手本体の連結部の前端部に一体形成されていることを特徴とする請求項２に記載の扉の取手構造。
【請求項４】
前記取手本体と取付部材は、異なる材質で形成されていることを特徴とする請求項１ないし３のいずれかに記載の扉の取手構造。
【請求項５】
前記連結手段は、取手本体の連結部と取付部材にそれぞれ設けられ互いにスライド移動可能に係合する凸状と凹溝で形成されていることを特徴とする請求項１ないし４のいずれかに記載の扉の取手構造。
【請求項６】
前記取付部材は、その固定部先端が扉の板厚に応じて所定角度傾動し得る板厚対応手段を有することを特徴とする請求項１ないし５のいずれかに記載の扉の取手構造。
【発明の詳細な説明】
【０００１】
【発明の属する技術分野】
本発明は、システムキッチン等のキャビネットの開口部に開閉可能もしくは引き出し可能に配設される扉の取手構造に関する。
【０００２】
【従来の技術】
従来、この種の取手としては、例えば特許文献１に開示されている。この取手は、平板部と立板部とからなるベース部材と、このベース部材の平板部と立板部の形状に対応した係合溝部を有する取手部材とからなり、ベース部材の平板部を扉の上端部に上面側からネジで固定し、この扉に固定されたベース部材に取手部材の係合溝部を係合させることにより、取手部材をベース部材を介して扉の上端部に取り付けるようにしたものである。
【０００３】
【特許文献１】
特開２００２−２１３１１１号公報
【０００４】
【発明が解決しようとする課題】
しかしながら、この取手にあっては、取手の扉の上端部への位置決め固定がベース部材の平板部のネジ固定によって行われるため、ベース部材の扉上端面への取付状態が、作業者による作業バラツキや扉の板厚のバラツキ等により、例えば取手の前面と扉の前面が面一状態にならず、扉の意匠的価値が劣る場合があると共に、べース部材の扉上端部への特に扉の板厚方向における位置決め作業が面倒となって、取手の扉への取付作業性が劣るという問題点を有している。
【０００５】
本発明は、このような事情に鑑みてなされたもので、その目的は、各種板厚の扉端部に確実かつ容易に位置決めしつつ精度良く取り付けできて、扉の意匠的価値を向上させると共に取付作業性等を向上させ得る扉の取手構造を提供することにある。
【０００６】
【課題を解決するための手段】
かかる目的を達成すべく、本発明のうち請求項１に記載の発明は、指掛部及び連結部を有する取手本体と、該取手本体とは別体で形成され扉端面が当接する扉当接面の幅方向後端部に所定長さの固定部が立設された取付部材とを備え、前記取付部材の扉当接面の幅寸法を扉の板厚に対応させると共に、該取付部材を前記取手本体の連結部に連結手段で連結しその固定部を扉裏面に当接させて固定することにより、取手本体を取付部材を介して扉に取り付けることを特徴とする。
【０００７】
このように構成することにより、別体で形成された取手本体と取付部材は、取付部材の扉当接面の幅寸法が取手を取り付ける扉の板厚に応じた寸法に設定され、この取付部材と取手本体が連結手段により一体化されて扉に取り付けられる。この時、取付部材の扉当接面の幅方向後端部に固定部が立設されていることから、扉当接面を扉端面に当接させた際に、固定部が扉裏面に当接した状態となり、この状態で固定部により取手本体が取付部材を介して扉に取り付けられる。これにより、扉端部の板厚に応じた幅寸法の扉当接面を有する取付部材を使用することで各種板厚の扉に容易に対応できると共に、所定幅寸法の扉当接面や固定部により取手を扉に簡単に位置決めしつつ精度良く取り付けできて、扉の意匠的価値の向上や取付作業性の向上等が図れる。
【０００８】
また、請求項２に記載の発明は、前記取手本体と取付部材の一方は、取手本体を取付部材を介して扉に取り付けた際にその内面が扉表面に当接し得る前壁を有することを特徴とする。このように構成することにより、例えば取付部材の扉当接面の幅方向前端部等に前壁が立設されていることから、前壁と固定部で扉端部を挟持して前壁内面を扉表面に当接させた状態とすることができて、取手の扉端部への位置決めが一層簡単かつ確実に行えると共に、前壁の扉表面への当接により該部分の隙間発生が防止されて意匠的価値の一層の向上が図れる。
【０００９】
また、請求項３に記載の発明は、前記前壁が、取付部材の扉当接面の幅方向前端部もしくは前記取手本体の連結部の前端部に一体形成されていることを特徴とする。このように構成することにより、取付時にその内面が扉表面に当接し得る前壁が取手本体あるいは取付部材に一体形成されていることから、取付部材に一体形成される場合は、取付部材の後壁と併せその扉当接面の幅寸法を精度良く形成でき、また取手本体に一体形成した場合は、該前壁に取手本体と取付部材の位置決め機能をも付加できる。
【００１０】
また、請求項４に記載の発明は、前記取手本体と取付部材が、異なる材質で形成されていることを特徴とする。このように構成することにより、例えば取手本体を金属で形成し取付部材を樹脂で形成し得ることから、引張力が作用する取手本体に所定の剛性を確保しつつ、樹脂製の取付部材で扉の板厚バラツキ等を吸収した状態で扉に確実に取り付けできる。
【００１１】
また、請求項５に記載の発明は、前記連結手段が、取手本体の連結部と取付部材にそれぞれ設けられ互いにスライド移動可能な凸状と凹溝で形成されていることを特徴とする。このように構成することにより、取手本体と取付部材がスライド移動可能に係合する凸状と凹溝で連結されることから、取手本体と取付部材を確実に連結できると共に、その取り外しが簡単となって、各種板厚に対応した取付部材の取り付けや交換作業等が容易に行える。
【００１２】
また、請求項６に記載の発明は、前記取付部材が、その固定部先端が扉の板厚に応じて所定角度傾動し得る板厚対応手段を有することを特徴とする。このように構成することにより、取付部材の板厚対応手段で固定部先端が所定角度傾動することから、例えば扉端部の板厚のバラツキ等に容易に対応できて、取手の良好な取付状態が得られる。
【００１３】
【発明の実施の形態】
以下、本発明の実施の形態を図面に基づいて詳細に説明する。
図１〜図４は、本発明に係わる取手構造を採用したシステムキッチンの一実施形態を示し、図１がその正面図、図２がその要部の縦断面図、図３が取手の正面図、図４が取手の取付方法を示す分解斜視図である。
【００１４】
図１において、システムキッチン１は、室内床面２上に設置され上面にカウンター４が設けられると共に、このカウンター４の一端側にコンロ台５が設けられたベースキャビネット３と、このベースキャビネット３の上方に壁パネル６を介して設置されたウォールキャビネット７及びレンジフード８等を備えている。
【００１５】
前記ベースキャビネット３のキャビネット本体３ａ（図２参照）の前面開口部には、その左端側に２個の大引き出し９ａが設けられると共に、コンロ台５の下部にはガス下大引き出し９ｂが設けられ、このガス下大引き出し９ｂと一方の大引き出し９ａとの間には三段引き出し９ｃが、それぞれ前方に引き出し可能に配設されている。そして、これらの大引き出し９ａ、９ｂや三段引き出し９ｃは、キャビネット本体３ａの前面開口部を閉塞する扉１０を有し、この扉１０の上端部１０ａには長尺状の取手１１がそれぞれ取り付けられている。
【００１６】
この取手１１は、図２及び図３に示すように、長尺状で側面視略コ字状の取手本体１２と、この取手本体１２に後述する連結手段により連結固定された長尺状の取付部材１３とで構成され、この取手本体１２と取付部材１３は、例えばアルミニウムの押出し成形によって形成されている。前記取手本体１２は、その背面が垂直な平面で内面が曲面に形成された立壁部１２ａと、この立壁部１２ａの上部に形成されたフック状の指掛部１２ｂと、立壁部１２ａの下部に形成されその平坦な下面に凹溝１２ｄが長手方向の全域に亘って形成された連結部１２ｃ等を有している。
【００１７】
そして、指掛部１２ｂの先端部は下方に所定長さ突出すると共に先端が内側に指向した状態で外周面が丸みをおびた状態に形成され、この指掛部１２ｂに指を掛けて図２の矢印ロの如く前方向や回動方向に取手１１を引っ張り操作できるようになっている。また、取手本体１２の指掛部１２ｂの外周形状や立壁部１２ａ内面の曲面形状及び連結部１２ｃの先端角部のアール形状等により、取手本体１２の指が接触する部分が曲面状に形成されて、取手１１に指を掛けた場合の安全性が向上するように構成されている。
【００１８】
前記取付部材１３は、内面側に平坦な扉当接面１３ａが形成された連結部１３ｂと、この連結部１３ｂの扉当接面１３ａの幅方向前端部に下方に指向する如く立設された前壁１３ｃと、扉当接面１３ａの幅方向後端部に下方に指向する如く立設された固定部１３ｄ等を有している。連結部１３ｂは、反扉当接面１３ａとなる外面に前記凹溝１２ｄに係合する凸状１３ｅが取付部材１３の長手方向の全域に亘って形成されている。
【００１９】
また、固定部１３ｄは、前壁１３ｃより所定寸法長く扉当接面１３ａの後端部に立設され、その長手方向に沿って所定間隔位置に皿ネジ１６用の固定孔１４が複数個穿設されると共に、その先端部内面には前方に突出する状態で扉１０の板厚ｔ（図４参照）のバラツキ等を吸収する板厚対応手段としての凸状１５が形成されている。そして、この固定部１３ｄは、その板厚と高さ寸法の設定によって所定の弾性を有し、その先端部分である凸状１５が図２の矢印イの如く、若干傾動し得るように構成されている。
【００２０】
なお、前記取手本体１２と取付部材１３及びその固定部１３ｄの長さＬ（図３及び図４参照）は、扉１０の上端部１０ａの幅Ｗ（図３及び図４参照）と略同一に設定されるが、例えば取付部材１３の固定部１３ｄの長さを、扉１０の形態等に応じて取手本体１２の長さＬより両端部において所定寸法短く設定することもできる。
【００２１】
また、図２に示すように、取付部材１３の前壁１３ｃ内面と固定部１３ｄ内面間の寸法ｗ１は、扉１０の板厚ｔより寸法α（例えばα＝０．３ｍｍ程度）大きく設定され、取付部材１３の前壁１３ｃ内面と固定部１３ｄの凸状１５先端内面間の寸法ｗ２が、扉１０の板厚ｔと略同一か僅かに小さくなるように設定されている。これにより、使用する扉１０の板厚ｔに応じた寸法の取付部材１３を複数種類準備し、これを扉１０の板厚ｔに応じて選択して取手本体１２に取り付けることにより、各種板厚ｔの扉１０に適用できることになる。なお、凸状１５の高さ寸法、すなわち前記α＝０．３ｍｍは、使用する扉１０の板厚ｔが１８．５ｍｍ程度の場合に好ましいが、扉１０の板厚ｔによって適宜に増減することもできる。
【００２２】
このように構成された取手１１は、次のようにして扉１０に取り付けられる。すなわち、図４に示すように、比較的長く長尺状に押出し成形された取手本体１２と取付部材１３を扉１０の幅Ｗに応じて切断して所定長さＬとするか、あるいは予め扉１０の幅Ｗに応じた所定長さＬに押出し成形された取手本体１２や取付部材１３を準備する。そして、扉当接面１３ａが取手１１を取り付ける扉１０の板厚ｔに対応した寸法を有する取付部材１３を準備し、この取付部材１３の扉当接面１３ａを扉１０の上端部１０ａに上方から矢印ハの如く嵌め込んで、扉当接面１３ａを扉１０の端面に当接させて取り付ける。
【００２３】
この取付部材１３の取り付け時に、その前壁１３ｃと固定部１３ｄとの間に扉１０の上端部１０ａが嵌め込まれる状態となって、取付部材１３と扉１０の上端部１０ａとの位置決めが一義的となって簡単に行える。また、取付部材１３の固定部１３ｄが所定の弾性を有することから、凸状１５の傾動動作により扉１０の板厚ｔのバラツキ（例えば最大０．８ｍｍ程度）等を吸収できると共に、前壁１３ｃ内面と固定部１３ｄの凸状１５先端間の寸法ｗ２が扉１０の板厚ｔに対応して設定されていることから、嵌込状態において、前壁１３ｃの内面が扉表面１０ｂに当接（密着）し、固定部１３ｄの凸状１５の先端部が扉裏面１０ｃに当接（密着）した状態となる。
【００２４】
この状態で、固定部１３ｄの固定孔１４から皿ネジ１６を扉１０にその扉裏面１０ｃ側から矢印ニの如くねじ込むことにより、固定部１３ｄから皿ネジ１６が突出しない状態で固定部１３ｄが扉１０に固定されて、取付部材１３が扉１０の板厚バラツキ等を吸収した状態で扉１１の上端部１０ａに強固に取り付けられ、この取付部材１３に取手本体１２が取り付けられる。
【００２５】
この取手本体１２の取付部材１３への取り付けは、取付部材１３の凸状１３ｅに取手本体１２の凹溝１２ｄをその長手方向から嵌入させ、図３及び図４の二点鎖線で示すように、取手本体１２を長手方向にスライド移動させることによって行われる。そして、取付部材１３と取手本体１２の両端面が略一致した位置で、例えば凸状１３ｅと凹溝１２ｄの係合強度や接着剤等による固着で取手本体１２を取付部材１３に固定することにより、取手１１の扉１０への取付作業が終了する。
【００２６】
この取手１１の扉１０への取付状態において、図２に示すように、取付部材１３の前壁１３ｃ内面が扉表面１０ｂに隙間なく当接すると共に、固定部１３ｄの少なくとも凸状１５先端が扉裏面１０ｃに当接した状態となり、取付部材１３の前壁１３ａが扉表面１０ｂから浮いたりする部分等がなくなり、扉１０を前方から見た場合の取手１１部分のデザイン性の向上が図れる。また、開放した扉１０を側面から見た場合も、凸状１５先端が扉裏面１０ｃに当接することにより発生する隙間が、凸状１５の高さ分（例えば０．３ｍｍ以下）であることから、デザイン的に悪影響を与えることもなく、意匠的に優れた扉１０が得られることになる。
【００２７】
このようにして取手１１が取り付けられた扉１０は、図２に示すように、取手本体１２の立壁部１２ａの背面がキャビネット本体３ａの前面に両面テープ等で固着された中空ゴム製のパッキン１７に当接して、キャビネット本体３ａの開口部が略密封状態とされたり、扉１０を閉めた際の異音の発生が防止される。この時、立壁部１２ａの高さ寸法を所定（例えば３０ｍｍ程度）に設定することで、その背面の所定位置にパッキン１７を当接させることができて、取手１１を各種大きさの開口部を有するキャビネット本体３ａに適用できることになる。
【００２８】
なお、以上の説明においては、取手１１の固定部１３ｄ先端の凸状１５を扉裏面１０ｃに当接状態としたが、例えば扉１０の特に裏面側の材質が柔らかい場合には、固定部１３ｄを皿ネジ１６で固定した際に、凸状１５を扉裏面１０ｃ内に埋め込ませて固定部１３ｄの内面を扉裏面１０ｃに略当接させる状態とすることもできる。この場合は、取手１１の取付強度が一層高まると共に、扉裏面１０ｃの取手１１部分のデザイン性が一層向上することになり、この時、固定部１３ｄに設けられる凸部としての凸状１５の代わりに、例えば固定部１３ｄの両端（もしくはその内側の所定間隔位置）に円錐形状の凸部としての突起を設けるようにすれば、突起の扉裏面１０ｃへの埋め込みが容易となって、固定部１３ｄを扉裏面１０ｃに一層確実に密着させることができる。
【００２９】
また、以上の説明においては、取手１１を扉１０の上端部１０ａの幅Ｗと略同一長さＬの長尺状に形成して、扉１０の上端部１０ａ全域に亘って取り付けたが、例えば図１のウォールキャビネット７のように、観音開き式の扉１０の場合に、扉１０の開放側（反ヒンジ側）の下端部１０ｄに取手１１を所定長さ部分的に取り付けることもできるし、図１の二点鎖線で示すように下端部１０ｄの全域に亘って取手１１を取り付け、取手１１や扉表面１０ｂの開放側に所定のマークを施す構成とすることもできる。この場合も、取手１１はその長さＬが異なるのみで、取手１１自体の形状や扉１０端部への取付構造は、前記ベースキャビネット３の取手１１と全く同様にして行われる。
【００３０】
さらに、以上の説明においては、取付部材１３を扉１０の上端部１０ａに固定した後に、この固定された取付部材１３に取手本体１２を取り付けたが、例えば取手本体１２と取付部材１３を連結して一体化した状態で扉１０に取り付けるようにしても良い。
【００３１】
このように、上記実施形態の取手１１にあっては、取手１１が指掛部１２ｂを有する取手本体１２と扉１０の上端部１０ａに取り付けられる取付部材１３とで形成され、取付部材１３が取手本体１２に対して取り外し可能に構成されているため、取付部材１３の扉当接面１３ａの幅寸法ｗ１を取手１１を取り付ける扉１０の板厚ｔに応じて設定することにより、所定板厚ｔの扉１０に取手本体１２を取付部材１３を介して取り付けることができる。
【００３２】
その結果、扉１０の板厚ｔに応じた扉当接面１３ａを有する取付部材１３を複数種類準備することにより、各種板厚ｔの扉１０に一つの形状の取手本体１２を取付部材１３を介して取り付けできて、例えば扉１０の板厚ｔのバラツキに容易に対応して取手１１を各扉１０に確実に取り付けできると共に、システムキッチン１に使用される扉１０の板厚ｔの種類を増やすことができて、例えば製品のバリエーションアップが容易に図れる等、設計上の自由度を向上させることが可能になる。
【００３３】
また、取付部材１３の扉当接面１３ａの幅方向前後端部に前壁１３ｃと固定部１３ｄがそれぞれ一体形成されているため、取付部材１３を扉１０の上端部１０ａに嵌め込むだけで、前壁１３ｃ内面を扉表面１０ｂに当接させ、固定部１３ｄ内面を扉裏面１０ｃに当接させることができて、取付部材１３の扉１０の上端部１０ａへの位置決めを簡単かつ確実に行うことができる。また、取手本体１２と取付部材１３の長さＬが扉１０の上端部１０ａの幅寸法Ｗと同一に設定されているため、取付部材１３を扉１０の上端部１０ａに長手方向の位置決めを気にすることなく簡単に取り付けることができる。
【００３４】
また、取付部材１３を扉１０の上端部１０ａに嵌め込みその固定部１３ｄをネジ１６で固定することにより、取付部材１３を扉１０に簡単に固定することができると共に、この固定された取付部材１３の凸状１３ｅに、取手本体１２の凹溝１２ｄをその長手方向から嵌入することで、取手本体１２を取付部材１３に簡単に取り付けることができ、これらのことから、取手１１自体の扉１０への取付作業を簡単かつ効率的に行うことが可能になる。
【００３５】
さらに、取付部材１３の扉当接面１３ａの幅寸法ｗ１が扉１０の板厚ｔに応じて設定されているため、扉当接面１３ａを扉１０の端面に当接させることにより、前壁１３ｃ内面が扉表面１０ｂに密着すると共に固定部１３ｄの凸状１５の先端が扉裏面１０ｃに当接するため、取手１１の前面となる前壁１３ｃが扉表面１０ｂから浮くこともなく、扉１０を前方から視認した際の取手１１部分の意匠的価値を高めることができる。
【００３６】
特に、取付部材１３の固定部１３ｄが所定の弾性を有するように構成されると共に固定部１３ｄの先端に設けた凸状１５によって、扉１０の板厚ｔのバラツキ等を吸収できて、取手１１が安定して取り付けられた扉１１を容易に得ることができる。また同時に、固定部１３ｄの凸状１５によって形成される隙間も僅かな寸法に設定できると共に、固定部１３ｄ裏面への皿ネジ１６の突出等がなくなるため、取手１１側面や扉裏面１０ｃ側の意匠的価値の低下が防止されて、高級感が望まれるシステムキッチン１の各種扉１０に好適に使用することが可能になる。
【００３７】
さらに、取付部材１３の前壁１３ｃと固定部１３ｄとで扉１０が挟持された状態となるため、取手１１が扉１０の上端部１０ａで板厚ｔ方向にずれることがなくなり、取手１１の取付状態の均一化を図ることができると共に、取手１１の扉１０への取付強度を向上させることができ、かつ、扉１０の幅Ｗと同一長さＬの取手１１によって、扉１０の上端部１０ａの剛性を高めることもできて、長期に亘り使用した場合であっても、そりや変形等の少ない信頼性の高い扉１０を得ることが可能になる。
【００３８】
またさらに、取手本体１２と取付部材１３がアルミニウムの押出し成形で一体成形されているため、各部材の製造が容易となりそのコストダウンが図れると共に、扉１０への取付作業性の向上等によるコストの低減化が図れ、取手１１の安価な取付構造を得ることが可能になる。また、取手１１の取手本体１２の指掛部１２ｂの外周形状や立壁部１２ａの内面形状等が曲面状に形成されているため、取手１１の安全性を向上させることができると共に、意匠的な向上をも同時に図ることが可能になる。
【００３９】
また、取手本体１２に前方向への引っ張りや回動方向への引っ張り操作が可能な指掛部１２ｂが設けられているため、取手１１を扉１０の上端部１０ａは勿論のこと、下端部１０ｂに取り付けることで扉１０の引き出し操作や回動操作を容易に行うことができて、操作性に優れた取手構造を得ることができる。また、固定部１３ｄの長さを取付部材１３と同一か所定寸法短く設定することで、各種形態の扉１０に所定の強度で取り付けできると共に、長尺状に形成された取手１１を扉１０の幅Ｗに応じて切断して所定長さＬとして使用することもでき、これらのことから、引き出し式や観音開き式等の各種形態の扉１０に使用できる汎用性に高い取手１１を得ることが可能になる。
【００４０】
図５及び図６は、上記実施形態の取手の変形例を示す断面図である。以下、上記実施形態と同一部位には同一符号を付して説明する（以下の他の実施形態においても同様である）。先ず、図５に示す取手１１の特徴は、取付部材１３の扉当接面１３ａの前端部に設けられる前記前壁１３ｃに代えて、取手本体１２の連結部１２ｃの前端部に前壁１２ｅを一体形成し、この前壁１２ｅを取付部材１３の扉当接面１３ａの前端部に下方に向けて所定寸法突出させた点にある。
【００４１】
すなわち、取手本体１２の連結部１２ｃに凹溝１２ｄを設けると共に、連結部１２ｃの前端部に下方に向けて前壁１２ｅを立設する。そして、取手本体１２の凹溝１２ｄと取付部材１３の凸状１３ｅを嵌合させて取手本体１２と取付部材１３を連結した際に、前壁１２ｅの先端が取付部材１３の平坦な扉当接面１３ａの前端部から下方に所定長さ突出するように設定する。
【００４２】
このように構成しても、取付部材１３の扉当接面１３ａを扉１０の上端部１０ａの端面に当接させた際に、前壁１２ｅ内面を扉表面１０ｂに密着させると共に固定部１３ｄの凸状１５先端を扉裏面１０ｃに当接できて、上記取手１１と同様の作用効果を得ることができる。また、前壁１２ｅが取手本体１２に設けられていることから、この前壁１２ｅが取手本体１２と取付部材１３との位置決め機能も有し、凹溝１２ｄと凸状１３ｅに高い寸法精度が要求されず、取手本体１２と取付部材１３の構成が一層簡略化され、両部材１２、１３を安価に形成できるという作用効果が得られる。
【００４３】
なお、この例において、取付部材１３の固定部１３ｄの基部側に、図の二点鎖線で示すような凹溝１８を形成することで固定部１３ｄの基部側に肉薄部１９を形成しても良く、このように構成すれば、肉薄部１９を中心に固定部１３ｄの先端が傾動動作し易くなり、例えば扉１０の板厚ｔのバラツキや設計上の狙い値の大小等に一層容易に対応できることになる。この時、肉薄部１９の代わりに、取付部材１３の固定部１３ｄもしくは固定部１３ｄの基部側を他の部分より柔らかい軟質性の樹脂で２色成形すること等により軟質部（図示せず）を形成し、この軟質部によって固定部１３ｄ先端の傾動動作を一層促進するようにしても良い。
【００４４】
また、図６に示す取手１１の特徴は、取手本体１２と取付部材１３の連結手段として、前記凹溝１２ｄと凸状１３ｅに代えて皿ネジ２０を使用した点にある。すなわち、取手本体１２の連結部１２ｃの前端部側に長手方向に沿って所定間隔で複数個の皿ネジ２０用の孔２１を穿設すると共に、この孔２１に対応して取付部材１３にネジ孔２２を形成する。そして、取手本体１２の孔２１から皿ネジ２０を取付部材１３のネジ孔２２にねじ込むことにより、取手本体１２と取付部材１３を連結して一体化する。このように構成しても、取手本体１２と取付部材１３が連結手段としての皿ネジ２０の回動操作で取り付けもしくは取り外しできて、上記取手１１と同様の作用効果を得ることができる。この場合、ネジ２０の代わりに、連結手段として取手本体１２と取付部材１３を接着固定する接着剤を使用しても同様の作用効果を得ることができる。
【００４５】
ところで上記実施形態においては、取手１１を引き出しの扉１０の上端部に前方方向に引き出し可能に取り付けたが、例えば扉１０が観音開き式の場合には、取手を図１の二点鎖線で示すように、扉１０の左右幅方向の端部に上下方向に指向して取り付けることができる。
【００４６】
この例においても、取手１１が扉１０の左右端部１０ｅ、１０ｆに上下方向に取り付けられる点で上記実施形態と異なるのみで、上記実施形態と同様の作用効果を得ることができる。特に、この取手１１が扉１０の端部全域に上下方向に亘って取り付けられる実施形態の場合は、取手１１の長手方向の上端や下端等を利用して扉１０を開放することができて、扉１０が縦方向に長い場合であっても扉開放時の操作性が向上したり、隣接する取手１０によって観音開き式の合せ部を明瞭に把握できたり、全域に取り付けられた近接した一対の取手１１によって合せ部の強度アップが図れる等の作用効果が得られる。
【００４７】
なお、本発明の取手１１は、上記した各例のそれぞれに限定されるものではなく、例えば図２に示す例において固定部１３ｄの基部側に肉薄部１９等を設けたり、図５に示す例において連結手段として皿ネジ２０を使用する等、各例の全部もしくは一部を適宜に組み合わせることもできる。また、上記実施形態においては、取手本体１２と取付部材１３をアルミニウムの同一材料で形成したが、例えばステンレス等の他の金属、あるいは取手本体１２を金属で形成し取付部材１３を樹脂で形成する等、互いに異なる材質で形成しても良い。
【００４８】
さらに、上記実施形態においては、取手１１をシステムキッチン１のベースキャビネット３やウォールキャビネット７の扉１０に取り付ける場合について説明したが、例えばシステムキッチン１の各種ストッカーや収納庫、収納棚、ボードユニット等の扉、あるいはキッチン以外の収納庫の扉等、取手１１を必要とするあらゆる扉に適用することができる。また、上記各実施形態における、取手１１の全体形状、取手本体１２や取付部材１３及び固定部１３ｄや前壁の形状等も一例であって、本発明に係わる各発明の要旨を逸脱しない範囲において適宜に変更することができる。
【００４９】
【発明の効果】
以上詳述したように、請求項１に記載の発明によれば、別体で形成された取手本体と取付部材を連結手段で連結して一体化することにより、取手本体が取付部材を介して扉に取り付けられるため、扉端部の板厚に応じた幅寸法の扉当接面を有する取付部材を使用することで各種板厚の扉に容易に対応することができると共に、所定幅寸法の扉当接面や後壁により取手を扉に簡単に位置決めしつつ精度良く取り付けできて、扉の意匠的価値の向上や取付作業性の向上等を図ることができる。
【００５０】
また、請求項２に記載の発明によれば、請求項１に記載の発明の効果に加え、例えば取付部材の扉当接面の幅方向前端部等に前壁が立設されているため、前壁と後壁とで扉端部を挟持しつつ前壁内面を扉表面に当接させた状態とすることができて、取手の扉端部への位置決めを一層簡単かつ確実に行うことができると共に、前壁の扉表面への当接によって該部分の隙間発生が防止される等、取手取付部分の意匠的価値の一層の向上を図ることができる。
【００５１】
また、請求項３に記載の発明によれば、請求項２に記載の発明の効果に加え、前壁が取付部材の扉当接面の幅方向前端部もしくは前記取手本体の連結部の前端部に一体形成されているため、前壁が取付部材に一体形成される場合は、取付部材の後壁と併せその扉当接面の幅寸法を精度良く形成することができ、また取手本体に一体形成される場合は、該前壁に取手本体と取付部材の位置決め機能をも付加することができる。
【００５２】
また、請求項４に記載の発明によれば、請求項１ないし３に記載の発明の効果に加え、取手本体と取付部材が異なる材質で形成されているため、例えば取手本体を金属で形成し取付部材を樹脂で形成することで、引張力が作用する取手本体に所定の剛性を確保しつつ、樹脂製の取付部材で扉の板厚バラツキ等を吸収した状態で扉に確実に取り付けることができる。
【００５３】
また、請求項５に記載の発明によれば、請求項１ないし４に記載の発明の効果に加え、連結手段が互いにスライド移動可能な凸状と凹溝で形成されているため、取手本体と取付部材を確実に連結できると共に、その取り外しが簡単となって、各種板厚に対応した取付部材の取り付けや交換作業等を容易に行うことができる。
【００５４】
また、請求項６に記載の発明によれば、請求項１ないし５に記載の発明の効果に加え、取付部材が固定部先端を扉の板厚に応じて所定角度傾動させ得る板厚対応手段を有するため、この板厚対応手段で例えば扉端部の板厚のバラツキ等に容易に対応できて、取手の扉への良好な取付状態を容易に得ることができる等の効果を奏する。
【図面の簡単な説明】
【図１】本発明に係わる取手構造を採用したシステムキッチンの一実施形態を示す正面図
【図２】同その要部の縦断面図
【図３】同取手の正面図
【図４】同取手の取付方法を示す分解斜視図
【図５】同取手の変形例を示す断面図
【図６】同取手の他の変形例を示す断面図
【符号の説明】
１・・・・・・・・・システムキッチン
３・・・・・・・・・ベースキャビネット
７・・・・・・・・・ウォールキャビネット
１０・・・・・・・・扉
１０ａ・・・・・・・上端部
１０ｂ・・・・・・・扉表面
１０ｃ・・・・・・・扉裏面
１０ｄ・・・・・・・下端部
１０ｅ・・・・・・・左端部
１０ｆ・・・・・・・右端部
１１・・・・・・・・取手
１２・・・・・・・・取手本体
１２ａ・・・・・・・立壁部
１２ｂ・・・・・・・指掛部
１２ｃ・・・・・・・連結部
１２ｄ・・・・・・・凹溝
１２ｅ・・・・・・・前壁
１３・・・・・・・・取付部材
１３ａ・・・・・・・扉当接面
１３ｂ・・・・・・・連結部
１３ｃ・・・・・・・前壁
１３ｄ・・・・・・・凸状
１４・・・・・・・・固定孔
１５・・・・・・・・凸状
【図１】
2004232284.tif 000003
【図２】
2004232284.tif 000004
【図３】
2004232284.tif 000005
【図４】
2004232284.tif 000006
【図５】
2004232284.tif 000007
【図６】
2004232284.tif 000008